(57)【要約】【課題】電子計算機にインストールされて、閲覧対象物間を移動せずに様々な情報を端末に閲覧させることができる電子計算機にならしめる閲覧対象物書き換えプログラム、このようなプログラムが記録された記録媒体及び閲覧対象物間を移動せずに様々な情報を端末に閲覧させることができる閲覧対象物書き換えサーバを提供する。【解決手段】ソース１が例えば３５秒間、「Ａ．ｈｔｍｌ」というＵＲＬに置かれたＨＴＭＬファイルにリンクされると、次にソース１がソース２に書き換えられ、今度はソース２が例えば３５秒間、「Ａ．ｈｔｍｌ」というＵＲＬに置かれたＨＴＭＬファイルにリンクされる。後は、同様に、ソース２がソース３に、ソース３がソース４に、ソース４がソース５に、ソース６がソース１に、それぞれ書き換えられる。【選択図】図４
2010020412.tif 000002
【特許請求の範囲】
【請求項１】
電子計算機に、
閲覧対象物が有する所定の情報の書き換えスケジュールを設定する書き換えスケジュール設定機能と、
該書き換えスケジュール設定機能によって設定された書き換えスケジュールに従って所定の情報を書き換える書き換え機能と、
該書き換え機能によって所定の情報が書き換えられた閲覧対象物を、通信回線を介して通信可能な情報表示端末から閲覧可能な状態にならしめる閲覧可能化機能とを付与する
前記電子計算機にインストールされる、閲覧対象物書き換えプログラム。
【請求項２】
前記書き換えスケジュール設定機能は、書き換える順序または書き換え間隔を設定する
請求項１に記載の閲覧対象物書き換えプログラム。
【請求項３】
電子計算機に、
閲覧対象物が有する所定の情報の書き換えスケジュールを設定する書き換えスケジュール設定機能と、
該書き換えスケジュール設定機能によって設定された書き換えスケジュールに従って所定の情報を書き換える書き換え機能と、
該書き換え機能によって所定の情報が書き換えられた閲覧対象物を、通信回線を介して通信可能な情報表示端末から閲覧可能な状態にならしめる閲覧可能化機能とを付与する閲覧対象物書き換えプログラムを記録した電子計算機読み取り可能な記録媒体。
【請求項４】
閲覧対象物が有する所定の情報の書き換えスケジュールを設定する書き換えスケジュール設定手段と、
該書き換えスケジュール設定手段によって設定された書き換えスケジュールに従って所定の情報を書き換える書き換え手段と、
該書き換え手段によって所定の情報が書き換えられた閲覧対象物を、通信回線を介して通信可能な情報表示端末から閲覧可能な状態にならしめる閲覧可能化手段とを備える
閲覧対象物書き換えサーバ。
【発明の詳細な説明】
【技術分野】
【０００１】
本発明は閲覧対象物書き換えプログラム、記録媒体及び閲覧対象物書き換えサーバに関する。詳しくは、テレビ放送番組を観るように、情報表示端末によって閲覧対象物であるウェブページを閲覧できる閲覧対象物書き換えプログラム、記録媒体及び閲覧対象物書き換えサーバに係るものである。
【背景技術】
【０００２】
一般家庭には、近年様々な情報が配信されている。即ち、地上波、衛星またはケーブルによりテレビ放送、ラジオ放送及びデータ放送が提供され、また、インターネット等を介して、画像や音声等が提供されている。
【０００３】
また、テレビ放送においては、テレビジョン信号をデジタル化して伝送するデジタル放送システムへの移行が進んでおり、デジタル伝送及び符号化方式の採用により、多くのコンテンツを配信することが可能となってきている。
【０００４】
また、インターネットを介した通信においては、画像データ及び音声データに関するデジタル符号化技術の進展やブロードバンド化により、インターネットを通じて、ＶＨＳやＤＶＤの画質に匹敵する動画像の配信いわゆるストリーミングコンテンツの配信が普及している。
【０００５】
例えば、特許文献１には、インターネットを利用したネットワーク放送システムが記載されている。即ち、特許文献１には、ラジオ放送中の番組に関する番組情報がテキストデータ、画像データ、動画データその他のデジタル番組データに変換出力される番組データ入力手段と、番組データ入力手段から転送されるデジタル番組データがＨＴＭＬデータに変換されるデータ変換手段と、データ変換手段にて変換されるＨＴＭＬデータがクライアント端末から読出し可能にて記憶保存される第２サーバとを備えたネットワーク放送システムとしたことによって、入力されたラジオ放送中の番組情報がテキストデータ、画像データ、動画データ等からＨＴＭＬファイルに変換され、第２サーバ等のサーバに記憶保存されるので、第２サーバにアクセスしたクライアント端末に、ラジオ放送中の番組内容を提供することができる旨記載されている。
【０００６】
【特許文献１】特開２００１−２３７７８４号公報
【発明の開示】
【発明が解決しようとする課題】
【０００７】
しかしながら、特許文献１のシステムでは、入力されたデジタル番組データの属性例えばテキストデータ、画像データ、動画データ、音声データ等の種別に適した内容のＨＴＭＬデータを逐次生成してデジタル番組データをＨＴＭＬデータに変換出力するので、複数のＨＴＭＬファイルが存在することになり、クライアント端末からアクセスすると複数のＨＴＭＬファイル間をクライアント自身で操作して移動しなければならず、また、移動に伴う無駄なデータトラフィックが生じる可能性もある。
また、複数のＨＴＭＬページ間を移動するとＵＲＬが変わり、サーバ側の制御が行ないにくくなる。
【０００８】
本発明は、以上の点に鑑みて創案されたものであり、電子計算機にインストールされて、閲覧対象物間を移動せずに様々な情報を端末に閲覧させることができる電子計算機にならしめる閲覧対象物書き換えプログラム、このようなプログラムが記録された記録媒体及び閲覧対象物間を移動せずに様々な情報を端末に閲覧させることができる閲覧対象物書き換えサーバを提供することを目的とする。
【課題を解決するための手段】
【０００９】
上記の目的を達成するために、本発明の閲覧対象物書き換えプログラムは、電子計算機に、閲覧対象物が有する所定の情報の書き換えスケジュールを設定する書き換えスケジュール設定機能と、該書き換えスケジュール設定機能によって設定された書き換えスケジュールに従って所定の情報を書き換える書き換え機能と、該書き換え機能によって所定の情報が書き換えられた閲覧対象物を、通信回線を介して通信可能な情報表示端末から閲覧可能な状態にならしめる閲覧可能化機能とを付与する、電子計算機にインストールされるものである。
【００１０】
ここで、閲覧対象物が有する所定の情報の書き換えスケジュールを設定する書き換えスケジュール設定機能によって、例えば１つのＨＴＭＬページ内で様々な情報を所定のスケジュールで書き換えるよう設定することができる。
【００１１】
また、本発明の閲覧対象物書き換えプログラムにおいて、書き換えスケジュール設定機能は、書き換える順序または書き換え間隔を設定することができる。
【００１２】
また、上記の目的を達成するために、本発明の記録媒体は、電子計算機に、閲覧対象物が有する所定の情報の書き換えスケジュールを設定する書き換えスケジュール設定機能と、該書き換えスケジュール設定機能によって設定された書き換えスケジュールに従って所定の情報を書き換える書き換え機能と、該書き換え機能によって所定の情報が書き換えられた閲覧対象物を、通信回線を介して通信可能な情報表示端末から閲覧可能な状態にならしめる閲覧可能化機能とを付与する閲覧対象物書き換えプログラムを記録した電子計算機読み取り可能なものである。
【００１３】
また、上記の目的を達成するために、本発明の閲覧対象物書き換えサーバは、閲覧対象物が有する所定の情報の書き換えスケジュールを設定する書き換えスケジュール設定手段と、該書き換えスケジュール設定手段によって設定された書き換えスケジュールに従って所定の情報を書き換える書き換え手段と、該書き換え手段によって所定の情報が書き換えられた閲覧対象物を、通信回線を介して通信可能な情報表示端末から閲覧可能な状態にならしめる閲覧可能化手段とを備える。
【発明の効果】
【００１４】
本発明に係る閲覧対象物書き換えプログラムがインストールされた電子計算機は、閲覧対象物間を移動せずに様々な情報を端末に閲覧させることができる。
また、本発明に係る閲覧対象物書き換えプログラムを記録した記録媒体から閲覧対象物書き換えプログラムがインストールされた電子計算機は、閲覧対象物間を移動せずに様々な情報を端末に閲覧させることができる。
更に、本発明に係る閲覧対象物書き換えサーバは、閲覧対象物間を移動せずに様々な情報を端末に閲覧させることができる。
【発明を実施するための最良の形態】
【００１５】
以下、本発明の実施の形態について図面を参照しながら説明し、本発明の理解に供する。
図１は、本発明を適用した閲覧対象物書き換えサーバを利用したシステムの概略図である。図１において、本発明の閲覧対象物書き換えサーバ１は、ＨＴＭＬファイル（閲覧対象物の一例である。）が有する所定の情報（例えば、ソースによってリンクした、静止画情報、動画情報、文字情報、音声情報またはこれらの複合情報）の書き換えスケジュールを設定する書き換えスケジュール設定手段２と、書き換えスケジュール設定手段２によって設定された書き換えスケジュールに従って所定の情報を書き換える書き換え手段３と、書き換え手段３によって所定の情報が書き換えられたＨＴＭＬファイルを、インターネット（通信回線の一例である。）５を介して通信可能な、消費者が利用する情報表示端末６から閲覧可能な状態にならしめる閲覧可能化手段４とを備える。
【００１６】
ここで、書き換えられる所定の情報は、ＨＴＭＬファイル内の全部の情報でもよいし一部の情報でもよい。
また、情報表示端末６から閲覧することができる閲覧対象物であれば、必ずしもＨＴＭＬファイルでなくてもよく、他の形式のファイルであってもよい。
また、情報表示端末６としては、具体的には例えば、パーソナルコンピュータ（ＰＣ）、インターネット接続可能なテレビ受像機、インターネット接続可能なゲーム機が挙げられる。
【００１７】
図２は、映像情報の書き換えスケジュールを示す画面の一例を示す概略図である。即ち、図２に示す画面は、２００８年６月１日午前０時から２００８年７月１日午前０時までの期間で、ＨＴＭＬファイルにリンクされる１番目の映像情報が「ネットタウンＴＶ  ＰＲ」と題した映像情報であって、この１番目の映像情報が３５秒間ＨＴＭＬファイルにリンクした後、２番目の映像情報である「十和田八幡平観光物産協会」と題した映像情報に書き換えられて、ＨＴＭＬファイルにはこの２番目の映像情報がリンクすることを示している。また、ＨＴＭＬファイルは、情報表示端末から閲覧可能な状態となっている。
同様に、２００８年６月１日午前０時から２００８年７月１日午前０時までの期間で、２番目の映像情報が３５秒間ＨＴＭＬファイルにリンクした後、３番目の映像情報である「あすてぃ」と題した映像情報に書き換えられて、ＨＴＭＬファイルにはこの３番目の映像情報がリンクし、３番目の映像情報が３５秒間ＨＴＭＬファイルにリンクした後、４番目の映像情報である「お菓子の香梅」と題した映像情報に書き換えられて、ＨＴＭＬファイルにはこの４番目の映像情報がリンクし、４番目の映像情報が３５秒間ＨＴＭＬファイルにリンクした後、５番目の映像情報である「ＢＩＧ  ＢＯＹＺ」と題した映像情報に書き換えられて、ＨＴＭＬファイルにはこの５番目の映像情報がリンクし、５番目の映像情報が３５秒間ＨＴＭＬファイルにリンクした後、６番目の映像情報である「ベストウェスタン新宿」と題した映像情報に書き換えられて、ＨＴＭＬファイルにはこの６番目の映像情報がリンクし、６番目の映像情報が３５秒間ＨＴＭＬファイルにリンクした後、また１番目の映像情報である「ネットタウンＴＶ  ＰＲ」と題した映像情報に書き換えられる。
【００１８】
このような処理が、２００８年６月１日午前０時から２００８年７月１日午前０時までの期間繰り返され、消費者は、情報表示端末６からこの期間内に、閲覧対象物書き換えサーバ１の所定のアドレスにアクセスすると、時間帯によって異なる映像を閲覧することができる。
【００１９】
図３は、書き換えスケジュールを設定する画面の一例を示す概略図である。図３に示す画面は、図２に示す画面の「更新」をクリックすることによって表示される画面である。また、図３に示ように、閲覧の開始日時及び終了日時をプルダウンメニューで決定することができ、各映像情報を削除する場合には、各映像情報のタイトルの右横にある「削除」をクリックする。また、各映像情報を書き換える順序を変更する場合は、各映像情報のタイトルの右横にある「▲」「▼」をクリックする。例えば１番目の「ネットタウンＴＶ  ＰＲ」の右横にある「▼」をクリックすると、「ネットタウンＴＶ  ＰＲ」は２番目に位置し、代わりに２番目に位置していた「十和田八幡平観光物産協会」が１番目に位置するようになる。
また、書き換え間隔を変更する場合は、図示していない別の画面において、秒数を変更する。
また、画像追加欄７からプルダウンメニューによって映像情報を選び、「追加」をクリックすると、７番目、８番目というように新たな映像情報を追加して、広告やコンテンツを閲覧することができる。
そして、このように書き換えスケジュールを決めて、画面左下の「更新」をクリックすると、正式に書き換えスケジュールが設定される。
【００２０】
図４は、映像情報の書き換え順序を示す概略図である。図４において、「ソース１」、「ソース２」等はそれぞれ、図２や図３で示した１番目の映像情報、２番目の映像情報等を示す。
また、図４に示すように、ソース１が所定の時間例えば３５秒間、「Ａ．ｈｔｍｌ」というＵＲＬに置かれたＨＴＭＬファイルにリンクされると、次にソース１がソース２に書き換えられ、今度はソース２が所定の時間例えば３５秒間、「Ａ．ｈｔｍｌ」というＵＲＬに置かれたＨＴＭＬファイルにリンクされる。後は、同様に、ソース２がソース３に、ソース３がソース４に、ソース４がソース５に、ソース６がソース１に、それぞれ書き換えられる。図４は、この繰り返しが、２００８年６月１日午前０時から２００８年７月１日午前０時までの期間に行なわれることを示している。
これにより、消費者は、期間内に閲覧対象物書き換えサーバの「Ａ．ｈｔｍｌ」というＵＲＬにアクセスするだけで、テレビ放送のように時間帯によって異なる映像を閲覧することができる。
【００２１】
以上のように、本発明は、ＨＴＭＬファイルが有する映像情報等の所定の情報を所定のスケジュールで書き換え、映像情報等が書き換えられたＨＴＭＬファイルを、消費者が使うＰＣ等の情報表示端末から閲覧可能な状態にさせるので、消費者は、情報表示端末から特定のＵＲＬ例えば「Ａ．ｈｔｍｌ」にアクセスしておくだけで、テレビ放送のように時間帯によって異なる映像を閲覧することができ、閲覧するために、異なるＵＲＬを有する異なるＨＴＭＬファイル間を移動するという操作が不要となる。
【００２２】
また、ＨＴＭＬファイルを用いるので、通常のホームページを作成して閲覧可能な状態にさせる要領で、テレビ放送と同様に映像等を消費者に見せることができ、しかもテレビ放送のように許認可や多額の制作費用も必要ない。
【００２３】
また、病院やホテル等にいる人にＨＴＭＬファイルを閲覧してもらう場合には、それぞれ専用のＵＲＬ例えば「Ｂ．ｈｔｍｌ」や「Ｃ．ｈｔｍｌ」を設け、消費者のニーズに合った様々な情報を閲覧させることができる。例えば、ホテルの宿泊客向けのＨＴＭＬファイルであれば、宿泊するホテル周辺の飲食店、娯楽施設、観光名所等に関する広告情報を順次書き換えて閲覧させることが考えられる。
【図面の簡単な説明】
【００２４】
【図１】本発明を適用した閲覧対象物書き換えサーバを利用したシステムの概略図である。
【図２】映像情報の書き換えスケジュールを示す画面の一例を示す概略図である。
【図３】書き換えスケジュールを設定する画面の一例を示す概略図である。
【図４】映像情報の書き換え順序を示す概略図である。
【符号の説明】
【００２５】
１    閲覧対象物書き換えサーバ
２    書き換えスケジュール設定手段
３    書き換え手段
４    閲覧可能化手段
５    インターネット
６    情報表示端末
７    画像追加欄
【図１】
2010020412.tif 000003
【図２】
2010020412.tif 000004
【図３】
2010020412.tif 000005
【図４】
2010020412.tif 000006